(57)【特許請求の範囲】
【請求項１】
非圧電体と、圧電体と、前記非圧電体及び圧電体の間に介在する櫛型電極と、前記櫛型電極を介して前記圧電体を前記非圧電体に圧接する与圧手段とを備え、
前記櫛型電極の交差指電極と直交する方向の前記圧電体の長さが、前記櫛型電極に交流電圧を印加したときに前記圧電体に弾性波の定在波が発生する長さに設定され、
前記非圧電体が、前記圧電体よりも大きい面積を有し、
前記圧電体が、前記与圧手段の圧接により、前記櫛型電極を介して前記非圧電体に固定され、
前記圧電体に発生した前記定在波により、前記非圧電体に弾性表面波が励振されることを特徴とする弾性表面波励振装置。
【請求項２】
請求項１に記載の弾性表面波励振装置であって、前記圧電体に発生する前記弾性波が、弾性表面波であることを特徴とする弾性表面波励振装置。
【請求項３】
請求項１または２に記載の弾性表面波励振装置であって、前記圧電体の前記長さが、当該圧電体を伝搬する波の１／２波長の整数倍の長さに設定されていることを特徴とする弾性表面波励振装置。
【請求項４】
請求項１から３のいずれかに記載の弾性表面波励振装置であって、前記交差指電極の隣接する交差指電極とのピッチが、前記非圧電体を伝搬する波の１／２波長に設定されていることを特徴とする弾性表面波励振装置。
【請求項５】
請求項１または２に記載の弾性表面波励振装置であって、前記圧電体の前記櫛型電極に接する側の面の前記交差指電極と接触しない位置に、前記圧電体と前記非圧電体との音響的結合を増進するための溝が、前記交差指電極と並行に設けられていることを特徴とする弾性表面波励振装置。
【請求項６】
請求項５に記載の弾性表面波励振装置であって、前記交差指電極に接触する前記圧電体の突条部が、非圧電体表面に励振する弾性表面波の周波数で共振して交差指電極形成面の垂直方向に伸縮することを特徴とする弾性表面波励振装置。
【請求項７】
請求項１または２に記載の弾性表面波励振装置であって、前記与圧手段が、真空吸着を利用して、前記圧電体を前記非圧電体に圧接することを特徴とする弾性表面波励振装置。
【請求項８】
請求項７に記載の弾性表面波励振装置であって、前記圧電体を覆い、裾部分が前記非圧電体に密着する軟質カバーを備え、前記軟質カバーの内部を真空にして、前記圧電体を前記非圧電体に圧接することを特徴とする弾性表面波励振装置。
【請求項９】
請求項７に記載の弾性表面波励振装置であって、前記圧電体と前記非圧電体との間に真空の空間を有し、前記空間が、並行する前記交差指電極と、前記交差指電極に直交する櫛型電極の側面に配置された接着剤とで密封されていることを特徴とする弾性表面波励振装置。
【発明の詳細な説明】
【技術分野】
【０００１】
本発明は、ガラス等の非圧電素材に弾性表面波（surface acoustic wave ：ＳＡＷ）を励振する装置に関し、非圧電素材に対して効率的に弾性表面波を発生させることを可能にしたものである。
【背景技術】
【０００２】
超音波振動の一種である弾性表面波は、従来から、通信機用のフィルタや共振子などのデバイスで利用されており、また、センサやアクチュエータなどへの応用について研究開発が進められている。
弾性表面波は、図１８に示すように、圧電性基板２に交差指電極を持つ櫛型電極１１を形成し、この電極間に交流電圧を印加したときに、圧電性基板２の表面で発生する。このとき、図１９に示すように、圧電性基板２には、交差指電極周辺の電界１３により、交差指電極のマイナス電極付近とプラス電極付近とで逆向きの応力１２が発生する。この電極１１のプラス／マイナスは交流電圧で反転し、電極１１付近に発生する応力１２の向きも周期的に反転を繰り返すため、圧電性基板２には弾性表面波が発生する。この弾性表面波の周波数は櫛型電極１１の幾何形状（交差指電極のピッチ）によって決まり、発生した弾性表面波は、図１８の左右方向に伝搬する。つまり、圧電性基板２は弾性表面波を伝搬する媒体としても機能する。弾性表面波が圧電性基板２を伝搬するとき、図２０の模式的断面図に示すように、圧電性基板２の表面付近の粒子は楕円運動を行っている。
通信機用フィルタの場合は、圧電性基板２上に櫛型電極１１から距離を置いて同形の受信用櫛型電極が形成され、圧電性基板２を伝搬した弾性表面波が、受信用櫛型電極により電気信号に再変換される。【０００３】
また、下記非特許文献１には、弾性表面波の波動現象を利用した「弾性表面波リニアモータ」が記載されている。このモータは、弾性表面波が伝搬する圧電性基板上に、駆動体となるスライダが配置されており、このスライダを圧電性基板に押し付けると、圧電性基板表面付近の粒子の楕円運動が摩擦を介してスライダに伝達され、圧電性基板の上で、弾性表面波の伝搬方向と逆方向にスライダが移動する。【０００４】
また、下記非特許文献２には、弾性表面波の波動現象を利用した「皮膚感覚ディスプレイ」が記載されている。このデバイスは、圧電性基板上を伝搬する弾性表面波の機械振動を利用して指の皮膚表面に振動を発生させるものであり、このデバイスをＰＣ用マウスのボタン部分に取り付け、操作者が、このマウスを操作してＰＣ画面上に表示された凹凸面をカーソルでなぞるときに、デバイスのＳＡＷ駆動信号をカーソル位置に応じて変調することにより、操作者は、その凹凸に相当する粗さ感を指先に感じることができる。
これらの圧電性基板には、弾性表面波を効率よく励振するためにＬｉＮｂＯ3などの圧電性単結晶基板が広く用いられている。また、近年、結晶の切り出し方向により高い電気機械結合係数が得られるＫＮｂＯ3などの材料が発見されており、その利用に期待が持たれている。【０００５】
また、非圧電素材の弾性表面波を利用する装置では、下記非特許文献３に記載されているように、弾性表面波をタッチ位置の検出に利用するタッチパネルが知られている。この装置は、図２１に示すように、ＳＡＷの伝搬が可能なガラス基板３０と、その周辺に対向して配置された一対の駆動電極３１及び一対の受信電極３２とを有している。駆動電極３１及び受信電極３２は、「く」の字形状の櫛型電極１１１を具備し、この櫛型電極１１１は、ガラス基板３０の電極位置に設けられた圧電薄膜２１の上に形成されている。駆動電極３１から発信された弾性表面波は、ガラス基板３０の表面を伝搬して受信電極３２で受信されるが、ガラス基板３０を指でタッチすると、タッチ位置を通る弾性表面波が減衰するため、この受信信号を解析してタッチ位置を検出することができる。【０００６】
また、弾性表面波を利用したタッチパネルは、下記特許文献１にも記載されている。このタッチパネルでは、櫛型電極が形成された複数の圧電板を、櫛型電極をガラス基板側に向けてガラス基板の周囲に固着している。
また、下記特許文献２には、約２２０μｍの厚さの圧電薄板に櫛型電極を形成し、この圧電薄板とガラス基板とを、櫛型電極を間に挟むようにエポキシ樹脂で接着した超音波トランスデューサが記載されている。
また、下記特許文献３には、約２００μｍの厚さの圧電体に櫛型電極を形成し、ガラス基板の圧電体接合面に溝を形成し、圧電体の電極形成面の反対面とガラス基板とを溶融金属層を介して接合した圧電体装置が記載されている。
【特許文献１】特開２００２−１９６８７６号公報
【特許文献２】特開平６−４６４９６号公報
【特許文献３】特開２００３−８０９４号公報
【非特許文献１】http://www.intellect.pe.u-tokyo.ac.jp/reseach/sawmotor/sawmotor-j.html「弾性表面波リニアモータ」
【非特許文献２】http://www.intellect.pe.u-tokyo.ac.jp/reseach/saw-tactile/saw-tactile-j.html「弾性表面波を用いた皮膚感覚ディスプレイ」
【非特許文献３】http://pcweb.mycom.co.jp/news/2002/11/26/14.html「光透過率９８％のクリアなＰＤＡ向けタッチパネルを開発」
【発明の開示】
【発明が解決しようとする課題】
【０００７】
しかし、圧電性単結晶基板は、製造が容易では無く、入手可能な最大ウエハサイズは直径１０ｃｍ（４インチ）程度である。また、1枚当たりの単価も高額である。
弾性表面波の機械振動をメカトロニクスへ応用する場合は、広い範囲で弾性表面波を励振し、長い距離に渡って弾性表面波を伝搬することが必要となるが、このような応用は、弾性表面波を励振する圧電性単結晶基板のサイズにより制限されている。
前記非特許文献３に記載されたタッチパネルでは、ガラス基板に弾性表面波を励振しているが、この場合にガラス基板を伝搬する弾性表面波のパワーは弱く、この構成により弾性表面波の機械エネルギを取り出してメカトロニクスへ応用することはできない。
また、前記特許文献１〜３に記載された構成によっても、強いパワーの弾性表面波をガラス基板に発生させることはできない。【０００８】
本発明は、こうした課題を解決するものであり、ガラスのように形状を自由に設定できる材料の表面に、弾性表面波を効率的よく励振することができる弾性表面波励振装置を提供することを目的としている。
【課題を解決するための手段】
【０００９】
本発明の弾性表面波励振装置は、非圧電体と、圧電体と、この非圧電体及び圧電体の間に介在する櫛型電極と、この櫛型電極を介して前記圧電体を前記非圧電体に圧接する与圧手段とを備え、櫛型電極の交差指電極と直交する方向（即ち、弾性表面波伝搬方向）の前記圧電体の長さが、櫛型電極に交流電圧を印加したときに前記圧電体に弾性波の定在波が発生する長さに設定され、前記非圧電体が、前記圧電体よりも大きい面積を有し、前記圧電体が、前記与圧手段の圧接により、前記櫛型電極を介して前記非圧電体に固定され、この圧電体に発生した定在波により、非圧電体に弾性表面波が励振される。
この装置では、圧電体と電極及び非圧電体との音響的結合が与圧手段により増進され、圧電体に発生した弾性波の定在波の応力が、電極を介してガラス基板等の非圧電体に伝搬する。
【００１０】
また、本発明の弾性表面波励振装置では、圧電体に、弾性波として、弾性表面波を発生させている。
この装置では、圧電体の非圧電体と接する面の表面で弾性表面波の定在波が発生する。【００１１】
また、本発明の弾性表面波励振装置では、前記圧電体の前記長さを、当該圧電体を伝搬する波の１／２波長の整数倍の長さに設定している。
この長さを有する圧電体は、櫛型電極に交流電圧が印加されたとき、弾性波や弾性表面波の定在波を発生する。【００１２】
また、本発明の弾性表面波励振装置では、前記交差指電極の隣接する交差指電極とのピッチを、前記非圧電体を伝搬する波の１／２波長に設定している。
この交差指電極の各々を通じて非圧電体に励振される各弾性表面波は、すべて同相になり、それらが合成されて弾性表面波の振幅が大きくなる。【００１３】
また、本発明の弾性表面波励振装置では、前記圧電体の櫛型電極に接する側の面の交差指電極と接触しない位置に、圧電体と非圧電体との音響的結合を増進するための溝を、交差指電極と並行に設けている。
この溝の存在で圧電体の等価的ヤング率が低下し、圧電体に発生する弾性表面波の波長と非圧電体に励振される弾性表面波の波長とが異なる場合でも、両者の音響的結合が増進される。また、圧電体の等価的ヤング率の低下で、圧電体の等価的圧電係数が向上する。それらの結果、非圧電体における弾性表面波の励振効率が向上する。【００１４】
また、本発明の弾性表面波励振装置では、前記交差指電極に接触する前記圧電体の突条部が、非圧電体表面に励振する弾性表面波の周波数で共振して交差指電極形成面の垂直方向に伸縮するように構成している。
この突条部の共振振動が加わり、非圧電体は、この突条部を通じて大きい振幅で励振される。【００１５】
また、本発明の弾性表面波励振装置では、与圧手段が、真空吸着を利用して圧電体を非圧電体に圧接するように構成している。
真空吸着の利用により、与圧手段をコンパクトに構成することが可能になる。【００１６】
また、本発明の弾性表面波励振装置では、圧電体を覆い、裾部分が非圧電体に密着する軟質カバーを備えており、この軟質カバーの内部を真空にして、圧電体を非圧電体に圧接させている。
軟質カバーは、圧電体や非圧電体と機械インピーダンスが著しく異なるため、軟質カバーが圧電体及び非圧電体に密着し、圧電体が非圧電体に強固に圧接される。【００１７】
また、本発明の弾性表面波励振装置では、前記圧電体と前記非圧電体との間に真空の空間を有し、この空間が、並行する交差指電極と、前記交差指電極に直交する櫛型電極の側面に配置された接着剤とで密封されている。
この場合、与圧手段は、櫛型電極のエリア内にコンパクトに構成される。
【発明の効果】
【００１８】
本発明の弾性表面波励振装置は、ガラスのように形状の自由度がある材料の表面に、メカトロニクスへの利用が可能な振幅を有する弾性表面波を効率的に励振させることができる。
そのため、弾性表面波を広い範囲で励振したり、長い距離を伝搬させたりすることが可能になり、弾性表面波を使用するメカトロニクスのアプリケーションの幅が広がる。
【発明を実施するための最良の形態】
【００１９】
（第１の実施形態）
本発明の第１の実施形態における弾性表面波励振装置は、非圧電体であるガラス基板と、ガラス基板上に形成した櫛型電極と、櫛型電極に機械的に結合された圧電体とを有している。この櫛型電極に交流電圧を印加すると、圧電体内で発生した応力変化が、櫛型電極を介して非圧電体に伝搬し、非圧電体に弾性表面波が励振される。【００２０】
図１は、この弾性表面波励振装置の構造を、組み立て順序を追って示している。まず、図１（ａ）に示すように、非圧電体のガラス基板３０上に、従来から行われている真空蒸着やスパッタリング等の方法で０．２〜０．３μの膜厚の櫛型電極１１を形成する。ガラス基板３０の形状は任意であるが、ここでは、２０ｍｍ×６０ｍｍの大きさで１〜２ｍｍの厚さのガラス板を使用している。
次に、図１（ｂ）に示すように、櫛形電極１１の交差指電極１１１の上に圧電体２０を配置する。ここでは圧電体２０として、８ｍｍ×１０ｍｍの大きさで１ｍｍの厚さのＬｉＮｂＯ3結晶を用いている。
また、図１（ｃ）に示すように、櫛形電極１１に交流電圧を印加するための配線４１を接続し、さらに、圧電体２０を、櫛型電極１１を介してガラス基板３０に圧接するための与圧機構４２を設け、４Ｎ（接触圧力８３．３ｋＰａ）の与圧を加えている。【００２１】
櫛型電極１１に電圧を印加すると、図２に示すように、圧電体２０には、圧電体内を貫く電界により、交差指電極１１１のマイナス電極付近とプラス電極付近とで向きが反対になる応力１２が発生する。交差指電極１１１への印加が交流電圧であるから、この応力は交番力となり、その交番力が交差指電極１１１を介してガラス基板３０に伝搬する。そのため、ガラス基板３０の表面には通常の弾性表面波駆動原理の作用する応力３３の分布が発生し、櫛形電極の交差指電極１１１のピッチで決定される周波数の弾性表面波が励振され、この弾性表面波が、図１（ｃ）に矢印５０で示す方向にガラス基板３０表面を伝搬する。【００２２】
与圧機構４２は、圧電体２０が櫛型電極１１に圧接するように圧力を与えている。そのため、圧電体２０と電極１１との音響的結合が増進され、ガラス基板３０での弾性表面波の励振が効率良く行われる。圧電体２０を接着剤等で電極１１及びガラス基板３０に接合しただけでは、音響的結合が弱く、ガラス基板３０に強力な弾性表面波を励振することができない。【００２３】
また、圧電体２０の弾性表面波伝搬方向５０（即ち、櫛型電極１１の交差指電極１１１と直交する方向）の長さＬを、圧電体２０の非圧電体３０と接する面の表面で弾性表面波の定在波が発生するように、または、発生圧電体２０内で弾性表面波の定在波が発生するように設定することにより、ガラス基板３０における弾性表面波の励振効率が向上する。
図３は、このときの圧電体２０の長さＬと、ガラス基板３０上の交差指電極１１１のピッチとの関係を示している。発生する弾性表面波の周波数をｆ、圧電体２０の音速をＶｐとすると、圧電体２０に発生する弾性表面波の波長λｐは（Ｖｐ／ｆ）である。この場合、圧電体２０の弾性表面波伝搬方向の長さＬを、
Ｌ＝ｍ×λｐ／２  （ｍは整数）
に設定することにより、弾性表面波の定在波が圧電体２０に発生し、この定在波の応力を受けてガラス基板３０が大きく振動する。【００２４】
また、このとき、ガラス基板３０の音速をＶｎとすると、一対の交差指電極１１１のピッチλｎを、
λｎ＝Ｖｎ／ｆ
に設定し、かつ、各交差指電極１１１の少なくとも一部が、圧電体２０に発生する定在波の腹（振幅が大きい箇所）の位置と重なるように配置すれば、各交差指電極１１１を発生源とするガラス基板３０の各弾性表面波はすべて同相になり、それらが合成されたガラス基板３０の弾性表面波の振幅が大きくなる。
圧電体２０の音速Ｖｐとガラス基板３０の音速Ｖｎとが等しい（従って、λｐ＝λｎとなる）場合は、図４に示すように、圧電体２０の弾性表面波伝搬方向の長さＬを交差指電極の１／２ピッチ（λｎ／２）の整数倍に設定すれば、圧電体２０に弾性表面波の定在波が発生し、ガラス基板３０での励振効率が向上する。
ちなみに、ＬｉＮｂＯ3におけるλｐは、弾性表面波の周波数が９．６ＭＨｚのとき、４００μである。【００２５】
図５及び図６は、図１の弾性表面波励振装置のガラス基板３０に励振される弾性表面波について測定した結果を示している。図７は、この測定に用いた装置を模式的に示しており、振動振幅はレーザドップラー振動計で測定した。この弾性表面波励振装置のガラス基板３０は、図５（ａ）（ｂ）に示すように、圧電振動子特有のアドミタンス（＝（コンダクタンス）＋ｊ（サセプタンス））の周波数特性を保持している。なお、図５（ａ）（ｂ）において、この装置のガラス基板３０の特性を線７２で示し、比較のために、従来の圧電性基板（ＬｉＮｂＯ3）を用いた振動子の特性を線７１で、また、電極を設けただけのガラス基板３０の特性を線７３で示している。【００２６】
図５（ｃ）は、電極に印加する電力を５Ｗ及び３０Ｗに設定し、この装置のガラス基板３０における振動振幅と印加電圧の周波数との関係を測定した結果を示している。振幅のピークは９．６２ＭＨｚ及び１０．００ＭＨｚの周波数で現れている。なお、振幅のピークは、圧電体２０に定在波が出現する周波数において現われており、複数の各ピークは、波数の異なる定在波の出現に対応している。
図６は、電極に印加する電圧の周波数を９．６２ＭＨｚ及び１０．００ＭＨｚに設定し、印加電流と振動振幅との関係を測定した結果を示している。一点鎖線は、比較のために示したＬｉＮｂＯ3の特性であり、直線は周波数９．６２ＭＨｚのとき、また、点線は周波数１０．００ＭＨｚのときに、この装置のガラス基板３０に励振された弾性表面波の特性である。振動振幅は印加電流に比例して増加しており、圧電性基板から成る従来の振動子程の振動振幅は得られないが、機械振動をメカトロニクスに利用可能な２ｎｍ程度の振幅は得られている。【００２７】
このように、この弾性表面波励振装置は、形状が自由に設定できるガラス基板などの非圧電素材に対して、その機械振動をメカトロニクスに利用できる強力な弾性表面波を励振することが可能である。また、この弾性表面波を広い範囲で励振し、長い距離を伝搬させることができるため、弾性表面波を使用するメカトロニクスのアプリケーションの幅が広がる。【００２８】
例えば、このガラス基板３０の弾性表面波の伝搬路にスライダを配置して、ストロークの大きい「弾性表面波モータ」を構成することができる。また、このモータでは、図８に示すように、ガラス基板３０上に弾性表面波の伝搬方向を異にする複数の圧電体２０１、２０２を配置し、各圧電体２０１、２０２を駆動する交流電圧の周波数や位相を調整することにより、種々のパターンのスライダ移動経路５１をガラス基板３０上に設定することができる。【００２９】
また、図９に示すように、ガラス基板で構成された表示装置の画面３０１に圧電体２０１、２０２を配置することにより、画面３０１に表示された物体５０１、５０２の感触を画面３０１に指を触れて確かめる「皮膚感覚ディスプレイ」を構成することができる。この場合、タッチパネル用の電極（図２１）を別に設けて、指が触れた画面３０１上の位置を検出し、当該位置に表示されている物体の画像の凹凸を表す信号で圧電体２０１、２０２を駆動し、画面３０１上に、その弾性表面波を励振する。【００３０】
なお、この弾性表面波励振装置の圧電体２０を電極１１に圧接する与圧機構４２は、真空吸着の技術を利用して小型化することができる。例えば、図１０に示すように、ガラス基板３０の櫛型電極１１の上に圧電体２０を配置し、その上を機械インピーダンスが著しく異なる軟質カバー６１で覆い、軟質カバー６１内部を真空に保持する。こうすると、圧電体２０とガラス基板３０との間の交差指電極が存在していない箇所での隙間が真空になり、圧電体２０がガラス基板３０に真空吸着される。また、軟質カバー６１は、圧電体２０に密着し、軟質カバー６１の裾部分がガラス基板３０に密着して機密状態を維持し、且つ、圧電体２０をガラス基板３０に圧接する。なお、軟質カバー６１の裾部分がガラス基板３０に密着しても、カバー素材が軟質であるため、ガラス基板３０における弾性表面波の伝搬は妨げられない。【００３１】
また、次のように構成しても良い。図１１に示すように、ガラス基板３０上に、両方の最外側の交差指電極１１２を内方の交差指電極１１１よりも長く延ばした櫛型電極１１を形成し（図１１（ａ））、このガラス基板３０を真空室内に配置して、両方の交差指電極１１２に跨るように圧電体２０を載せる（図１１（ｂ））。次いで、圧電体２０の交差指電極１１２と直交する各端面に接着剤６２を滴下し、接着剤６２の硬化後にガラス基板３０を真空室内から取り出す（図１１（ｃ））。
こうすると、０．２〜０．３μの膜厚の交差指電極上に載る圧電体２０は、ガラス基板３０との間に、交差指電極１１２及び接着剤６２で囲まれた真空の空間を持つことになり、ガラス基板３０に真空吸着される。この交差指電極の層は、真空吸着状態の圧電体２０から常時押圧されているため、機密性を保つことができ、この機密性は、弾性表面波の数ｎｍ程度の振幅を受けても破られない。また、接着剤６２は、ガラス基板３０上に交差指電極の膜厚による凹凸が有っても、その凹凸に合わせて形を変えて硬化するため、真空空間の機密性が維持される。
この装置では、与圧機構が櫛型電極１１の領域内に収まるため、ガラス基板３０における弾性表面波の伝搬に影響が及ばない。また、この与圧機構による与圧は、図１１の作業を行う真空室の真空度を変えることにより調整可能である。また、交差指電極１１２の延長した端部は、櫛型電極１１の接続端として利用することができる。【００３２】
また、この弾性表面波励振装置で弾性表面波を励振するガラス基板３０は、曲面状であっても良い。
また、ここでは、櫛型電極１１をガラス基板３０の側に形成する場合について説明したが、櫛型電極１１を圧電体２０の側に形成し、この櫛型電極１１を介して圧電体２０とガラス基板３０とを圧接するようにしても良い。【００３３】
（第２の実施形態）
本発明の第２の実施形態では、第１の実施形態における装置の弾性表面波の励振効率をさらに高める工夫について説明する。
この装置では、図１２に示すように、ガラス基板３０に形成した櫛型電極１１の交差指電極上に配置する圧電体２０に溝２２を設けている。その他の構成は第１の実施形態と変わりがない。【００３４】
図１３は、この圧電体２０をガラス基板３０の交差指電極１１１に圧接させた状態の断面図を示している。溝２２は、圧電体２０の交差指電極１１１と接触しない位置に周期的に設けている。この溝２２の存在により、圧電体２０の矢印方向の等価的ヤング率が低下する。そのため、圧電体２０に発生する弾性表面波の波長とガラス基板３０に励振される弾性表面波の波長とが異なる場合でも、圧電体２０の等価的ヤング率の低下により、圧電体２０と交差指電極１１１（及びガラス基板３０）との音響的結合が増進する。また、圧電体２０の等価的ヤング率の低下で、圧電体２０の等価的圧電係数も向上する。それらに起因して、ガラス基板３０に対する弾性表面波の励振効率が向上する。【００３５】
なお、圧電体２０に設ける溝２２の幅は、図１４に示すように、交差指電極間の間隔より短くても良い。また、図１５及び図１６に示すように、溝２２のピッチを交差指電極のピッチの整数倍に設定しても良い。
また、この圧電体２０の溝２２は、与圧機構として第１の実施形態（図１０、図１１）で説明した真空吸着手段を用いる場合に、容量の大きい真空室として作用する。そのため、圧電体２０とガラス基板３０とは、強固、且つ、安定的に圧接される。【００３６】
また、図１３において、圧電体２０に溝２２を設けることは、見方を変えれば、圧電体２０が、突起（突条体）２３を通じて交差指電極１１１及びガラス基板３０に機械的振動を伝えていることになる。図１７に示すように、この突起２３における伸縮（矢印方向の伸び縮み）の共振周波数は、突起２３の幅ｗと高さｈに依存している。この共振周波数と圧電体２０に発生する弾性表面波の周波数とが一致するように突起２３の形状を設定した場合は、突起２３が非圧電体表面に励振する弾性表面波の周波数で共振し、圧電体２０に発生する弾性表面波の振幅と突起２３の伸縮とが加算されてガラス基板３０に伝わるため、ガラス基板３０に励振される弾性表面波の振幅が大きくなる。【００３７】
このように、本発明の弾性表面波励振装置では、圧電体２０を共振させて定在波を発生させ、また、圧電体２０の突起２３に共振振動を起こさせるなど、圧電体の共振現象を利用することにより、非圧電体への弾性表面波の励起を効率化している。【００３８】
なお、各実施形態では、非圧電体がガラス基板である場合について説明したが、非圧電体として、その他の絶縁体や、絶縁被覆を形成した金属板などを用いることもできる。
【産業上の利用可能性】
【００３９】
本発明の弾性表面波励振装置は、弾性表面波（超音波）モータや皮膚感覚ディスプレイなど、弾性表面波を使用する各種デバイスに広く利用することができる。
【図面の簡単な説明】
【００４０】
【図１】本発明の第１の実施形態における弾性表面波励振装置の構成を示す図
【図２】本発明の第１の実施形態における装置での弾性表面波の励振原理を説明する図
【図３】本発明の第１の実施形態における装置の圧電体の長さと電極ピッチとを説明する図
【図４】本発明の第１の実施形態における装置でλｐ＝λｎのときの圧電体の長さと電極ピッチとを説明する図
【図５】本発明の第１の実施形態における装置の周波数特性を示す図
【図６】本発明の第１の実施形態における装置の印加電流と振動振幅との関係を示す図
【図７】本発明の第１の実施形態における装置の特性測定形態を示す図
【図８】本発明の第１の実施形態における装置で構成した弾性表面波モータを示す図
【図９】本発明の第１の実施形態における装置で構成した皮膚感覚ディスプレイを示す図
【図１０】本発明の第１の実施形態における装置での真空吸着を利用した与圧機構を示す図
【図１１】本発明の第１の実施形態における装置での真空吸着を利用した第２の与圧機構を示す図
【図１２】本発明の第２の実施形態における弾性表面波励振装置の圧電体の構成を示す図
【図１３】本発明の第２の実施形態における装置の圧電体、電極及びガラス基板の断面図
【図１４】本発明の第２の実施形態における装置の圧電体、電極及びガラス基板の断面図（変形例１）
【図１５】本発明の第２の実施形態における装置の圧電体、電極及びガラス基板の断面図（変形例２）
【図１６】本発明の第２の実施形態における装置の圧電体、電極及びガラス基板の断面図（変形例３）
【図１７】本発明の第２の実施形態における装置の突起形状を説明する図
【図１８】従来の圧電素子の構成を示す図
【図１９】圧電素子での弾性表面波の励振原理を説明する図
【図２０】弾性表面波が伝搬する圧電素子の模式的断面図
【図２１】弾性表面波を利用するタッチパネルの構造を示す図
【符号の説明】
【００４１】
２      圧電性基板
１１    櫛型電極
１２    応力
１３    電界
２０    圧電体
２１    圧電薄膜
２２    溝
２３    突起
３０    ガラス基板
３１    駆動電極
３２    受信電極
３３    応力
４１    配線
４２    与圧機構
５０    弾性表面波伝搬方向
５１    スライダ移動経路
６１    軟質カバー
６２    接着剤
７１    圧電性振動子の特性
７２    本発明の装置におけるガラス基板の特性
７３    ガラス基板のみの特性
１１１  交差指電極
１１２  最外側の交差指電極
２０１  圧電体
２０２  圧電体
３０１  画面
５０１  表示物体
５０２  表示物体
【図１】
0004682333.tif 000002
【図２】
0004682333.tif 000003
【図３】
0004682333.tif 000004
【図４】
0004682333.tif 000005
【図８】
0004682333.tif 000006
【図９】
0004682333.tif 000007
【図１０】
0004682333.tif 000008
【図１１】
0004682333.tif 000009
【図１２】
0004682333.tif 000010
【図１３】
0004682333.tif 000011
【図１４】
0004682333.tif 000012
【図１５】
0004682333.tif 000013
【図１６】
0004682333.tif 000014
【図１７】
0004682333.tif 000015
【図１８】
0004682333.tif 000016
【図１９】
0004682333.tif 000017
【図２０】
0004682333.tif 000018
【図５】
0004682333.tif 000019
【図６】
0004682333.tif 000020
【図７】
0004682333.tif 000021
【図２１】
0004682333.tif 000022